(57)【要約】【課題】  ＩＣタグが埋め込まれている印刷物を複写する場合、ＩＣタグに記憶されているＩＤ情報に基づいて、ネットワーク化された原稿データの記憶場所（アドレス）や履歴情報（更新版があるか否かの情報など）などを記憶している記憶装置から情報を取得し、そのアドレスや履歴情報などの情報にもとづいて原稿データの元版もしくは更新版を取得し出力する画像処理システムを提供する。【解決手段】  ネットワークで接続されている第１の記憶装置２２と第２の記憶装置１６、画像出力装置１を有する画像処理システムにおいて、前記第１の記憶装置２２が原稿となる印刷物についたＩＣタグから送信されたＩＤ情報を取得可能な受信機能および前記ＩＤ情報に対応した情報を認識する認識機能を備え、前記第２の記憶装置１６が前記認識した情報に基づいて原稿データを認識する認識機能を備え、前記画像出力装置１が前記認識した原稿データを取得する取得機能および取得した原稿データを出力する出力機能を備える。【選択図】        図３
2006108854.tif 000002
【特許請求の範囲】
【請求項１】
ネットワークで接続されている第１の記憶装置と、第２の記憶装置と、画像出力装置とを有する画像処理システムにおいて、前記第１の記憶装置は原稿となる印刷物に取り付けたＩＣタグから送信されたＩＤ情報を取得する受信手段および前記ＩＤ情報に対応した情報を認識する認識手段を備え、前記第２の記憶装置は前記認識した情報に基づいて原稿データを認識する原稿データ認識手段を備え、前記画像出力装置が前記認識した原稿データを取得する原稿データ取得手段および取得した原稿データを出力する出力手段を備えることを特徴とする画像処理システム。
【請求項２】
前記画像出力装置には前記第２の記憶装置を有することを特徴とする請求項１記載の画像処理システム。
【請求項３】
ネットワークで接続されているパーソナルコンピュータを有することを特徴とする請求項１または２記載の画像処理システム。
【請求項４】
前記第１の記憶装置には、ＩＤ情報に対応したアドレスと前記原稿データに関する履歴情報を記憶する記憶手段を備え、前記第２の記憶装置には、印刷物の原稿データを記憶する記憶手段および原稿を複写、もしくはプリントすると同時にＩＣタグへＩＤ情報を送信する送信手段を有することを特徴とする請求項１ないし３のいずれか一項記載の画像処理システム。
【請求項５】
前記第１の記憶装置が前記ＩＤ情報に対応したアドレスを記憶しているか否かの判定を行う判定手段を備えることを特徴とする請求項４記載の画像処理システム。
【請求項６】
前記画像出力装置または前記パーソナルコンピュータが、前記判定結果を取得する判定結果取得手段を有することを特徴とする請求項５記載の画像処理システム。
【請求項７】
前記判定結果が前記アドレス情報を記憶していないと判定した場合、前記第１の記憶装置が複写要求をする要求手段を備え、前記画像出力装置が前記複写要求を認識し、印刷物を複写する複写手段を備えることを特徴とする請求項５または６記載の画像処理システム。
【請求項８】
前記判定結果が前記アドレス情報を記憶していると判定した場合、前記第１の記憶装置が前記履歴情報をもとに原稿データの更新版があるか否かの情報を判定する情報判定手段を備えることを特徴とする請求項５または６記載の画像処理システム。
【請求項９】
前記判定結果が原稿データの更新版があると判定した場合、前記画像出力装置または前記パーソナルコンピュータが原稿データの更新版をプリントするか、もしくは印刷物を複写するかを選択する選択手段を備え、前記画像出力装置が、前記選択手段による選択結果に基づいて、原稿データの更新版をプリントするプリント手段、もしくは印刷物を複写する複写手段を備え、または、前記パーソナルコンピュータが前記選択結果を送信する送信手段を備え、また、前記画像出力装置が前記選択結果を受信する受信手段、前記選択結果に基づいて、原稿データの更新版をプリントするプリント手段、もしくは印刷物を複写する複写手段を備えることを特徴とする請求項８記載の画像処理システム。
【請求項１０】
前記判定結果が原稿データの更新版がないと判定した場合、前記第１の記憶装置が前記第２の記憶装置のアドレスから履歴情報を取得する取得手段、取得した履歴情報に基づいて、更新版があるか否かの判定をする判定手段、および前記判定結果を送信する送信手段を備え、前記画像出力装置または前記パーソナルコンピュータが前記判定結果を受信する受信手段を備えることを特徴とする請求項８記載の画像処理システム。
【請求項１１】
前記判定結果が原稿データの更新版があると判定した場合、前記画像出力装置または前記パーソナルコンピュータが原稿データの更新版をプリントするか、もしくは印刷物を複写するかを選択する選択手段を備え、前記画像出力装置が、前記選択結果に基づいて、原稿データの更新版をプリントするプリント手段、もしくは印刷物を複写する複写手段を備え、または、前記パーソナルコンピュータが前記選択結果を送信する送信手段を備え、前記画像出力装置が、前記選択結果を受信する受信手段および、前記選択結果にもとづいて、原稿データの更新版をプリントするプリント手段、もしくは印刷物を複写する複写手段を備え、前記第１の記憶装置が前記ＩＤ情報に対応する履歴情報へ、更新版があるという情報を記憶する記憶手段を備えることを特徴とする請求項１０記載の画像処理システム。
【請求項１２】
前記判定結果が原稿データの更新版がないと判定した場合、前記画像出力装置またはパーソナルコンピュータが原稿データの元版をプリントするか、もしくは印刷物を複写するかを選択する選択手段と、前記選択結果に基づいて、原稿データの元版をプリントするプリント手段、もしくは印刷物を複写する複写手段を備え、または、前記パーソナルコンピュータが前記選択結果を送信する送信手段を備え、前記画像出力装置が前記選択結果を受信する受信手段と、前記選択結果に基づいて、原稿データの元版をプリントするプリント手段、もしくは印刷物を複写する複写手段を備えることを特徴とする請求項１０記載の画像処理システム。
【請求項１３】
前記画像出力装置または前記パーソナルコンピュータが原稿データの最新版を表示させる表示手段、もしくは原稿データの元版を表示させる表示手段を有することを特徴とする請求項９ないし１１のいずれか一項に記載の画像処理システム。
【請求項１４】
前記パーソナルコンピュータが課金処理システムを有し、前記画像出力装置が複写枚数や出力枚数をアクセス記録装置に記録する記録手段と、前記アクセス記録を前記パーソナルコンピュータへ送信する送信手段を備えていて、前記パーソナルコンピュータが前記送信されたアクセス記録を受信する受信手段と、前記アクセス記録に基づき出力対象物の著作権料の課金処理を行う課金処理手段を備えることを特徴とする請求項１３記載の画像処理システム。
【発明の詳細な説明】
【技術分野】
【０００１】
本発明は、ネットワークで接続されている第１の記憶装置と第２の記憶装置、画像出力装置を有する画像処理システムに関するものである。
【背景技術】
【０００２】
従来では、写真複写機において、紙文書をスキャンし、紙文書の写真の中から透かしを見つけ、ネットワーク化されたリソースから写真の元バージョンを獲得し、写真複写された出力の走査写真を元の写真に置き換えることは知られている（例えば、特許文献１および非特許文献１参照）。
企業等では、近年のインターネット、パソコンを始めとするＩＴの普及により、その知的生産活動において自ら多種多様の電子情報を作成し、複写機、プリンタ等の画像形成装置により紙に出力している。
出力された紙または書類は、情報共有の手段として会議等で配布され、知的生産活動に活用されている。配布された紙または書類は受け取った人が持ち帰り、そのままの状態で保管されるか、画像読み取り装置により画像情報としてＪＰＥＧなどのイメージファイルに変換され保管される。
これらをさらなる知的生産活動のための情報源として活用するために、配布された紙または書類をさらに複写したり、変換したＪＰＥＧなどのイメージファイルから直接出力したり、このイメージファイルをパソコンなどで加工してから出力している。
このように受け取った紙または書類そのものはアナログ情報であるが、情報を再利用／再加工するためにデジタル情報として取り扱いたいと考え、そのアナログ情報からデジタル情報への変換を光学的な画像読み取り装置を使って行う。
原稿にはテキスト、グラフや表、イメージが混在している場合が考えられるが、画像読み取り装置では全てイメージ情報としてデジタル情報を取得している。しかしながら、画像読み取り装置による光学変換のさいには、レンズやＣＣＤのＭＴＦ特性と言った物理的な要因のために情報品質の劣化が生じてしまう。
情報量としてもイメージ情報では大きくなってしまうが、画像圧縮と言った画像処理による圧縮は可能であるが圧縮率によってはさらに情報品質の劣化を招く。また、ＯＣＲ等の画像処理により原稿に含まれるテキストなどはテキストデータとして抽出することが可能ではあるが、変換精度の問題もあり原稿からの情報品質の劣化は免れない。
【特許文献１】特開２００３−５１８６５８公報
【非特許文献１】「モノに情報を貼り付ける  ＲＦＩＤタグとその応用」情報処理学会誌（１９９９年８月）第４０巻、第８号、ｐ８４６〜８５０
【発明の開示】
【発明が解決しようとする課題】
【０００３】
しかしながら、原稿は作成者がパソコンを使って電子的に作成し、何らかの印刷装置によって出力されたものであり、原稿自体の電子情報は存在している。この電子情報を原稿とともに渡すことは可能であるが、ＦＤ、ＣＤ−ＲＯＭ、ＣＤ−Ｒなどの別の記憶媒体で渡すか、別途インターネットを介して電子メールで送ると言うことが必要であるため、電子情報を渡すのにも手間がかかる。
そこで、特許文献１（データプロキシとしての電子透かし）では、写真複写機において、紙文書をスキャンし、紙文書の写真の中から透かしを見つけ、ネットワーク化されたリソースから写真の元バージョンを獲得し、写真複写された出力の走査写真を元の写真に置き換える。
この方法のように元の写真に置きかえるようなものは有用である。しかし、紙文書をスキャンし、紙文書の中から透かしを見つける作業を行うため、時間を要するという問題がある。
一方、非特許文献１（モノに情報を貼り付ける  ＲＦＩＤタグとその応用）にあるように、個別情報を電子的に保持して電磁誘導により非接触で情報伝達するＩＣタグ（ＲＦＩＤ：Radio Frequency IDentification）技術が開発され、物の識別管理のために応用され始めている。ＩＣタグを用いた個体認識方式は、流通分野におけるバーコードに替わる技術として注目されているものである。
そこで、本発明の目的は、上述した実情を考慮して、ＩＣタグが埋め込まれている印刷物を複写する場合、ＩＣタグに記憶されているＩＤ情報に基づいて、ネットワーク化された原稿データの記憶場所（アドレス）や履歴情報（更新版があるか否かの情報など）などの情報を記憶している記憶装置から情報を取得し、そのアドレスや履歴情報などの情報にもとづいて原稿データの元版もしくは更新版を取得し出力する画像処理システムを提供することにある。
【課題を解決するための手段】
【０００４】
上記の課題を解決するために、請求項１に記載の発明は、ネットワークで接続されている第１の記憶装置と、第２の記憶装置と、画像出力装置とを有する画像処理システムにおいて、前記第１の記憶装置は原稿となる印刷物に取り付けたＩＣタグから送信されたＩＤ情報を取得する受信手段および前記ＩＤ情報に対応した情報を認識する認識手段を備え、前記第２の記憶装置は前記認識した情報に基づいて原稿データを認識する原稿データ認識手段を備え、前記画像出力装置が前記認識した原稿データを取得する原稿データ取得手段および取得した原稿データを出力する出力手段を備えることを特徴とする。
また、請求項２に記載の発明は、前記画像出力装置には前記第２の記憶装置を有する請求項１記載の画像処理システムを特徴とする。
また、請求項３に記載の発明は、ネットワークで接続されているパーソナルコンピュータを有する請求項１または２記載の画像処理システムを特徴とする。
また、請求項４に記載の発明は、前記第１の記憶装置には、ＩＤ情報に対応したアドレスと前記原稿データに関する履歴情報を記憶する記憶手段を備え、前記第２の記憶装置には、印刷物の原稿データを記憶する記憶手段および原稿を複写、もしくはプリントすると同時にＩＣタグへＩＤ情報を送信する送信手段を有することを特徴とする。
また、請求項５に記載の発明は、前記第１の記憶装置が前記ＩＤ情報に対応したアドレスを記憶しているか否かの判定を行う判定手段を備えることを特徴とする。
また、請求項６に記載の発明は、前記画像出力装置または前記パーソナルコンピュータが、前記判定結果を取得する判定結果取得手段を有することを特徴とする。
【０００５】
また、請求項７に記載の発明は、前記判定結果が前記アドレス情報を記憶していないと判定した場合、前記第１の記憶装置が複写要求をする要求手段を備え、前記画像出力装置が前記複写要求を認識し、印刷物を複写する複写手段を備えることを特徴とする。
また、請求項８に記載の発明は、前記判定結果が前記アドレス情報を記憶していると判定した場合、前記第１の記憶装置が前記履歴情報をもとに原稿データの更新版があるか否かの情報を判定する情報判定手段を備えることを特徴とする。
また、請求項９に記載の発明は、前記判定結果が原稿データの更新版があると判定した場合、前記画像出力装置または前記パーソナルコンピュータが原稿データの更新版をプリントするか、もしくは印刷物を複写するかを選択する選択手段を備え、前記画像出力装置が、前記選択手段による選択結果に基づいて、原稿データの更新版をプリントするプリント手段、もしくは印刷物を複写する複写手段を備え、または、前記パーソナルコンピュータが前記選択結果を送信する送信手段を備え、また、前記画像出力装置が前記選択結果を受信する受信手段、前記選択結果に基づいて、原稿データの更新版をプリントするプリント手段、もしくは印刷物を複写する複写手段を備えることを特徴とする。
また、請求項１０に記載の発明は、前記判定結果が原稿データの更新版がないと判定した場合、前記第１の記憶装置が前記第２の記憶装置のアドレスから履歴情報を取得する取得手段、取得した履歴情報に基づいて、更新版があるか否かの判定をする判定手段、および前記判定結果を送信する送信手段を備え、前記画像出力装置または前記パーソナルコンピュータが前記判定結果を受信する受信手段を備えることを特徴とする。
【０００６】
また、請求項１１に記載の発明は、前記判定結果が原稿データの更新版があると判定した場合、前記画像出力装置または前記パーソナルコンピュータが原稿データの更新版をプリントするか、もしくは印刷物を複写するかを選択する選択手段を備え、前記画像出力装置が、前記選択結果に基づいて、原稿データの更新版をプリントするプリント手段、もしくは印刷物を複写する複写手段を備え、または、前記パーソナルコンピュータが前記選択結果を送信する送信手段を備え、前記画像出力装置が、前記選択結果を受信する受信手段および、前記選択結果にもとづいて、原稿データの更新版をプリントするプリント手段、もしくは印刷物を複写する複写手段を備え、前記第１の記憶装置が前記ＩＤ情報に対応する履歴情報へ、更新版があるという情報を記憶する記憶手段を備えることを特徴とする。
また、請求項１２に記載の発明は、前記判定結果が原稿データの更新版がないと判定した場合、前記画像出力装置またはパーソナルコンピュータが原稿データの元版をプリントするか、もしくは印刷物を複写するかを選択する選択手段と、前記選択結果に基づいて、原稿データの元版をプリントするプリント手段、もしくは印刷物を複写する複写手段を備え、または、前記パーソナルコンピュータが前記選択結果を送信する送信手段を備え、前記画像出力装置が前記選択結果を受信する受信手段と、前記選択結果に基づいて、原稿データの元版をプリントするプリント手段、もしくは印刷物を複写する複写手段を備えることを特徴とする。
また、請求項１３に記載の発明は、前記画像出力装置または前記パーソナルコンピュータが原稿データの最新版を表示させる表示手段、もしくは原稿データの元版を表示させる表示手段を有する請求項９ないし１１記載の画像処理システムを特徴とする。
また、請求項１４に記載の発明は、前記パーソナルコンピュータが課金処理システムを有し、前記画像出力装置が複写枚数や出力枚数をアクセス記録装置に記録する記録手段と、前記アクセス記録を前記パーソナルコンピュータへ送信する送信手段を備えていて、前記パーソナルコンピュータが前記送信されたアクセス記録を受信する受信手段と、前記アクセス記録に基づき出力対象物の著作権料の課金処理を行う課金処理手段を備えることを特徴とする。
【発明の効果】
【０００７】
本発明によれば、印刷された紙の原稿データを管理することができ、印刷された紙を複写するよりも高品位かつ簡易な方法で出力することができる。
また、これによって、印刷された紙の原稿データの管理を行うことができ、印刷された紙を複写するよりも高品位かつ簡易な方法で出力することができ、また、ＩＤ情報に対応した原稿データの記憶場所（アドレス）や履歴情報（更新版があるか否かの情報など）などの情報を記憶する記憶装置を備えることで、記憶場所をアクセスしなくても更新版の有無等の情報を知ることを可能とする。
【発明を実施するための最良の形態】
【０００８】
以下、図面を参照して、本発明の実施の形態を詳細に説明する。図１は本発明に使用する画像出力装置の実施の形態を示すブロック図である。図１の画像出力装置１において、スキャナ２はＣＣＤにより画像を読み込む。
平滑フィルタ処理装置３はスキャナ２から読み込んだ画像データをシェーデイング補正、ＭＴＦ・γ補正などの画像処理を行う。画像処理装置４は平滑フィルタ処理装置３からの画像データに対して色変換処理、階調処理などを行い、メモリのページメモリ領域へ書き込む。
メモリコントローラ５はメモリ６を制御し、ＣＰＵ７、ローカルバス、画像処理装置４、通信処理装置８などとメモリ６との転送を制御する。ＣＰＵ７は画像出力装置１の全体の制御を行い、ＣＰＵ  Ｉ／Ｆ９はメモリコントローラ５に接続され、ＣＰＵ７とメモリコントローラ５間のＩ／Ｆを処理する。
エンジンコントローラ１０はプリンタエンジン１１を制御する。描写処理装置１２は大容量記憶装置からの原稿データの情報を受け取りメインメモリへ描写処理を行う。
ローカルバスＩ／Ｆ１４１はＲＯＭ１３、パネルコントローラ１４などと、ＣＰＵ７、メモリ６などとのＩ／Ｆを処理し、ＲＯＭ１３は文字などのフォント情報やＣＰＵ７のプログラムなどを格納する。
パネルコントローラ１４はパネル１５を制御し、このパネル１５はユーザからの操作を画像出力装置１へ知らせる。通信処理装置８はネットワークを介し、アドレス情報記憶装置１６へ情報を要求し、送信された情報を受け付けたりする。
【０００９】
図２は図１のアドレス情報記憶装置の実施の形態を示すブロック図である。アンテナ１７は近接したＩＣタグを検出し、情報を読み込んだり、情報を書き込んだりし、リーダ／ライタ１８はアンテナ１７に対してＩＣタグへの要求を送信したり、ＩＣタグからの回答を受信したりする。
ＩＣタグ情報判定装置１９はリーダ／ライタ１８から送られてきたＩＣタグの情報を認識し、メモリへ情報を書き込んだり、ＩＣタグへ書き込む情報をリーダ／ライタ１８へ送信したりする。メモリ２０はＩＣタグ情報判定装置１９から送られてきた情報を記憶するように設けられる。
ここで、本発明に利用するＩＣタグについて説明する。ＩＣタグは、無線通信機能と、情報を記憶するメモリから構成されており、情報を電子的に保存して電磁誘導により非接触で情報伝達するＩＤ素子（ＲＦＩＤ：Radio Frequency IDentification）のことを指す。このＲＦＩＤは既知の技術である。
図３は本発明による画像処理システムの第１の実施の形態の全体構成を示す概略図である。アドレス情報記憶装置１６はＩＣタグから読み込んだＩＤ情報に対応した原稿データのアドレスや識別情報（原稿データがどの記憶装置に記憶されているかの識別）や履歴情報（原稿データを作成した作成日や更新情報など）を画像出力装置１やＰＣ（パーソナルコンピュータ）２１へ送信する。
また、画像出力装置１から送信されてきたアドレス情報や識別情報などの書き込みや、履歴情報の更新、書き込んだ情報のＩＤ情報を出力対象物に付いたＩＣタグへ書き込みを行う。また、画像出力装置１やＰＣ２１から原稿データを作成した日の情報などを取得し、取得した情報を基に更新されているか否かの判定も行う。
ＰＣ２１はアドレス情報記憶装置１６から送信された履歴情報の表示や、原稿データ記憶装置２２や外部サーバ２３から送信された原稿データの表示、また、キーボードなどの操作での画像出力装置１へ原稿データの出力や印刷物の複写の要求を行う。
【００１０】
画像出力装置１はアドレス情報記憶装置１６から送信された履歴情報の表示や、原稿データ記憶装置２２や外部サーバ２３から送信された原稿データのパネル表示、また、画像出力装置１のパネル操作からの要求、もしくはＰＣ２１からの要求によって、原稿データの出力や印刷物の複写を行う。
さらに、画像出力装置１は、原稿データ記憶装置２２や外部サーバ２３から送信された原稿データとともに送信されたアドレス情報と識別情報をアドレス情報記憶装置１６へ送信する。
原稿データ記憶装置２２は画像出力装置１によって読み込まれた原稿データを記憶したり、画像出力装置１やＰＣ２１からの要求によって、それぞれに原稿データやアドレス情報などを送信したりする。インターネット上の外部サーバ２３は画像出力装置１やＰＣ２１からの要求によって、それぞれに原稿データを送信したりする。
図４は本発明による画像処理システムの第１の実施の形態の構成に基づく処理について示すフローチャートである。図１ないし図４を参照して、印刷物を画像出力装置１で複写したい場合、ユーザは画像出力装置１へ複写要求を行う。
ＩＣタグが付いている印刷物であれば、その印刷物をアンテナ１７（図２）の構築されているアドレス情報記憶装置１６へ近接させる。アンテナ１７はＩＣタグを検出し、すなわち、ＩＣタグよりＩＤ情報を読み込み（Ｓ１）、ＩＤ情報が記憶されているかの判定を行う（Ｓ２）。
ＩＤ情報に対応したアドレスがあるかどうか判定し（Ｓ３）、ＩＤ情報がないと判定された場合、画像出力装置１へ複写要求し、そのまま印刷物を複写する。複写のさい、原稿データを原稿データ記憶装置２２へ記憶する。
【００１１】
図５はアドレス情報を示す概略図である。そのアドレスと識別情報（原稿データ記憶装置２２）、履歴情報（記憶した日など）に図５に示すようなＩＤ情報を付けてアドレス情報記憶装置１６へ記憶する。印刷物を複写するとともに出力対象物についているＩＣタグへそのＩＤ情報を書き込む。
ステップ（Ｓ３）でＩＤ情報があると判定された場合、ＩＤ情報を取得し（Ｓ４）、アドレス情報記憶装置１６にＩＤ情報に基づいたアドレスや識別情報や履歴情報（図５）が記憶されている場合は、その情報を取得する。記憶されていない場合は、上記と同様に画像出力装置１へ複写要求し、そのまま印刷物を複写する。
複写のさい、原稿データを原稿データ記憶装置２２へ記憶し、そのアドレスと識別情報（原稿データ記憶装置２２）、履歴情報（記憶した日など）にＩＤ情報を付けて（図５）、アドレス情報記憶装置１６へ記憶する。印刷物を複写するとともに出力対象物についているＩＣタグへそのＩＤ情報を書き込む。
識別情報とは原稿データの記憶場所はどの記憶装置（ここでは、原稿データ記憶装置２２か外部サーバ２３）であるかの情報であり、アドレスはその記憶装置内の記憶場所である。
また、履歴情報とは原稿を作成した日（ここでは、原稿データが外部サーバ２３に記憶されている場合）、もしくは原稿データを原稿データ記憶装置２２内へ記憶した日（ここでは、原稿データが原稿データ記憶装置２２に記憶されている場合）と、更新情報（ここでは、外部サーバ２３に更新情報があるか否かである）である。
記憶場所が外部サーバ２３かどうか判定し（Ｓ５）、識別情報判定が原稿データ記憶装置２２である場合、原稿データ記憶装置２２よりアドレスに対応した原稿データを取得し、ユーザの要求により画像出力装置１のパネル１５（図１）に表示する。
そして、ユーザは画像出力装置１のパネル操作などによって、原稿データを出力するか、印刷物を複写するかを選択する（Ｓ５）。原稿データを出力すると選択した場合、原稿データを出力するとともに出力対象物についているＩＣタグへ原稿データが記憶されていたＩＤ情報と同じＩＤ情報を書き込む、すなわち、原稿データの元版を出力する（Ｓ７）。
【００１２】
印刷物を複写すると選択した場合、複写するとともに上記同様にＩＤ情報を書き込む。読み込んだ原稿データを表示させることで、ユーザが取得したいデータを確実に出力することができる。また、印刷物を複写するよりも読み込んだ情報をプリントすることで、高品位な出力物が得られる。
ステップ（Ｓ５）において、識別情報判定が外部サーバ２３である場合、画像出力装置１のパネル１５に更新情報を表示し、更新情報があるかどうか判定する（Ｓ８）。更新情報がある場合、ユーザは画像出力装置１のパネル操作によって、更新版があるかどうかを判定し（Ｓ９）、取得するか否かの選択をする。
更新版を取得すると選択した場合、外部サーバ２３より更新版を取得する。取得した更新版を画像出力装置１のパネル１５に表示し、ユーザは更新版を出力する（Ｓ１０）か、印刷物を複写する（Ｓ１２）かを選択する。
更新版を出力すると選択した場合、更新版を出力するとともに出力対象物についているＩＣタグへ原稿データが記憶されていたＩＤ情報と同じＩＤ情報を書き込む（Ｓ１１）。これによって、更新版の出力を可能とし、ユーザの取得したい出力物を提供できる。
更新版を取得しないと選択した場合、そのまま印刷物を複写する。また、印刷物を複写すると選択した場合、複写するとともに上記同様にＩＤ情報を書き込む。更新情報がない場合、外部サーバ２３より履歴情報（作成日）を取得し、その情報に基づいて更新版があるか否かを判定する。
更新版があると判定された場合、ユーザは画像出力装置１のパネル操作によって、更新版を取得するか否かの選択をする。更新版を取得すると選択した場合、外部サーバ２３より更新版を取得する。取得した更新版を画像出力装置１のパネル１５に表示し、ユーザは更新版の原稿データを出力するか、印刷物を複写するかを選択する。
【００１３】
更新版を出力すると選択した場合、更新版を出力するとともに出力対象物についているＩＣタグへ原稿データが記憶されていたＩＤ情報と同じＩＤ情報を書き込み、アドレス情報記憶装置１６のそのＩＤ情報に対応する更新情報部分に「更新情報がある」として書き変えられる。
ＩＤ情報に対応した原稿データの記憶場所（アドレス）や履歴情報（更新版があるか否かの情報など）などの情報を記憶する記憶装置を持っているため、原稿データの記憶場所をアクセスしなくても更新版の有無等の情報を知ることを可能とし、出力するまでの時間を短縮することができる。
更新版がないと判定された場合、外部サーバ２３より元版を取得する。そして、取得した元版を画像出力装置１のパネル１５に表示し、ユーザは元版の原稿データを出力するか、印刷物を複写するかを選択する。
元版を出力すると選択した場合、元版を出力するとともに出力対象物についているＩＣタグへ原稿データが記憶されていたＩＤ情報と同じＩＤ情報を書き込む。これによって、印刷物を複写するよりも読み込んだ情報をプリントすることで、高品位な出力物が得られる。
印刷物を複写すると選択した場合、複写するとともに上記同様にＩＤ情報を書き込む。読み込んだ原稿データの元版を表示させることで、ユーザが取得したいデータを確実に出力することができる。また、印刷物を複写するよりも読み込んだ情報をプリントすることで、高品位な出力物が得られる。
なお、上記実施の形態では、原稿データの元版や更新版を画像出力装置１のパネル１５へ表示してから、ユーザが出力の選択を行うようにしているが、原稿データの元版や更新版のパネル表示をするかしないかの選択をユーザによる選択で行うようにしてもよい。
【００１４】
図６は本発明による画像処理システムの第２の実施の形態の全体構成を示す概略図である。アドレス情報記憶装置１６はＩＣタグから読み込んだＩＤ情報に対応した原稿データのアドレスや識別情報（原稿データがどの記憶装置に記憶されているかの識別）や履歴情報（原稿データを作成した作成日や更新情報など）を画像出力装置１やＰＣ２１へ送信する。
また、画像出力装置１から送信されてきたアドレス情報や識別情報などの書き込みや、履歴情報の更新、書き込んだ情報のＩＤ情報を出力対象物に付いたＩＣタグへ書き込みを行う。また、画像出力装置１やＰＣ２１から原稿データを作成した日の情報などを取得し、取得した情報をもとに更新されているか否かの判定も行う。
ＰＣ２１はアドレス情報記憶装置１６から送信された履歴情報の表示や、原稿データ記憶装置２２や外部サーバ２３から送信された原稿データの表示、また、キーボードなどの操作での画像出力装置１へ原稿データの出力や印刷物の複写の要求を行う。
画像出力装置１はアドレス情報記憶装置１６から送信された履歴情報の表示や、原稿データ記憶装置２２や外部サーバ２３から送信された原稿データのパネル表示、また、画像出力装置１のパネル操作からの要求、もしくはＰＣ２１からの要求によって、原稿データの出力や印刷物の複写を行う。
また、原稿データ記憶装置２２や外部サーバ２３から送信された原稿データとともに送信されたアドレス情報と識別情報をアドレス情報記憶装置１６へ送信する。
原稿データ記憶装置２２は画像出力装置１によって読み込まれた原稿データを記憶したり、画像出力装置１やＰＣ２１からの要求によって、それぞれに原稿データやアドレス情報などを送信したりする。インターネット上の外部サーバ２３は画像出力装置１やＰＣ２１からの要求によって、それぞれに原稿データを送信したりする。
【００１５】
この図６の本発明による画像処理システムの第２の実施の形態の構成に基づく処理については図４に示すフローチャートと同様であるので、全体的な処理については説明を省略する。図１ないし図３および図６を参照して説明する。
第２の実施の形態において、識別情報判定が外部サーバ２３である場合に、更新情報がある場合、ユーザは画像出力装置のパネル操作によって、更新版を取得するか否かの選択をする。
更新版を取得すると選択した場合、外部サーバ２３より更新版を取得する。取得した更新版を画像出力装置１のパネル１５に表示し、ユーザは更新版を出力するか、印刷物を複写するかを選択する。
更新版を出力すると選択した場合、更新版を出力するとともに出力対象物についているＩＣタグへ原稿データが記憶されていたＩＤ情報と同じＩＤ情報を書き込む。
ＩＤ情報に対応した原稿データの記憶場所（アドレス）や履歴情報（更新版があるか否かの情報など）などの情報を記憶する原稿データ記憶装置２２を内蔵しているため、原稿データの記憶場所をアクセスしなくても更新版の有無等の情報を知ることを可能とし、出力までの時間を短縮することができる。
更新版を取得しないと選択した場合、そのまま印刷物を複写する。また、印刷物を複写すると選択した場合、複写するとともに上記同様にＩＤ情報を書き込む。更新情報がない場合、外部サーバ２３より履歴情報（作成日）に基づいて更新版があるか否かを判定する。
【００１６】
更新版があると判定された場合、ユーザは画像出力装置１のパネル操作によって、更新版を取得するか否かの選択をする。更新版を取得すると選択した場合、外部サーバ２３より更新版を取得する。
取得した更新版を画像出力装置のパネルに表示し、ユーザは更新版の原稿データを出力するか、印刷物を複写するかを選択する。更新版を出力すると選択した場合、更新版を出力するとともに出力対象物についているＩＣタグへ原稿データが記憶されていたＩＤ情報と同じＩＤ情報を書き込む。
アドレス情報記憶装置１６のそのＩＤ情報に対応する更新情報部分に「更新情報がある」として書き換えられる。これによって、更新版があるという情報を知ることができ、要求に応じて更新版の出力を行うことができる。
更新版がないと判定された場合、外部サーバ２３より元版を取得する。そして、取得した元版を画像出力装置１のパネル１５に表示し、ユーザは元版の原稿データを出力するか、印刷物を複写するかを選択する。
元版を出力すると選択した場合、元版を出力するとともに出力対象物についているＩＣタグへ原稿データが記憶されていたＩＤ情報と同じＩＤ情報を書き込む。これによって、印刷物を複写するよりも読み込んだ情報をプリントすることで、高品位な出力物が得られる。印刷物を複写すると選択した場合、複写するとともに上記同様にＩＤ情報を書き込む。
【００１７】
図７は本発明による画像処理システムの第３の実施の形態の全体構成を示す概略図である。この第３の実施の形態において、ＰＣ２１には印刷物の原稿データを出力するための課金管理システム２４が構築されている。また、画像出力装置１にはアクセス記録記憶装置２５を内蔵している。
アドレス情報記憶装置１６はＩＣタグから読み込んだＩＤ情報に対応した原稿データのアドレスや識別情報（原稿データがどの記憶装置へ記憶されているかの識別）や履歴情報（原稿データを作成した作成日や更新情報など）をＰＣ２１へ送信する。
また、画像出力装置１から送信されてきたアドレス情報や識別情報などの書き込みや、履歴情報の更新、書き込んだ情報のＩＤ情報を出力対象物に付いたＩＣタグへの書き込みを行う。また、画像出力装置１やＰＣ２１から原稿データを作成した日の情報などを取得し、取得した情報を基に更新されているか否かの判定も行う。
ＰＣ２１は印刷物の原稿データを出力するための課金管理システム２４が構築されていて、アドレス情報記憶装置１６から送信された履歴情報や原稿データ、課金情報の表示や、キーボードなどの操作によって画像出力装置１へ原稿データの出力や印刷物の複写の要求を行う。
また、画像出力装置１から得られたアクセス記録にもとづき、対象となる著作権を有する企業に対し、複写または出力した枚数などによる著作権料金を課金する。
画像出力装置１はアドレス情報記憶装置１６から送信された履歴情報の表示や、原稿データ記憶装置２２や外部サーバ２３から送信された原稿データをパネル表示、また、画像出力装置１のパネル操作やＰＣ２１のキーボードなどの操作からの要求での原稿データの出力や印刷物の複写を行う。
また、画像出力装置１は原稿データ記憶装置２２や外部サーバ２３から送信された原稿データとともに送信されたアドレス情報や識別情報をアドレス情報記憶装置１６へ送信する。さらに、アクセス記録などを記憶させることができるアクセス記録記憶装置２５を構築していて、課金管理システム２４へアクセス記録を転送する。
原稿データ記憶装置２２は画像出力装置１によって読み込まれた原稿データを記憶したり、画像出力装置１やＰＣ２１からの要求によって、それぞれに原稿データやアドレス情報などを送信したりする。外部サーバ２３は原稿データが記憶されていて、画像出力装置１やＰＣ２１からの要求によって、それぞれに原稿データを送信したりする。
【００１８】
図８は本発明による画像処理システムの第３の実施の形態の構成に基づく処理について示すフローチャートである。図１ないし図３、図７および図８を参照して、印刷物を画像出力装置１で複写したい場合、ユーザは画像出力装置１へ複写要求を行う。
ＩＣタグが付いている印刷物であれば、その印刷物をアンテナ（図２参照）１７の構築されているアドレス情報記憶装置１６へ近接させる。アンテナ１７はＩＣタグを検出し、すなわち、ＩＣタグよりＩＤ情報を読み込み（Ｓ１１）、ＩＤ情報が記憶されているかの判定を行う（Ｓ１２）。
ＩＤ情報に対応したアドレスがあるかどうか判定し（Ｓ１３）、ＩＤ情報がないと判定された場合、画像出力装置１へ複写要求し、画像出力装置１はそのまま印刷物を複写し、アクセス記録記憶装置２５に複写枚数など記録される。
複写のさい、原稿データを原稿データ記憶装置２２へ記憶し、そのアドレスと識別情報（原稿データ記憶装置）、履歴情報（記憶した日など）にＩＤ情報を付けてアドレス情報記憶装置１６へ記憶する。
これらが画像出力装置１内にあるアクセス記録記憶装置２５に記録される。そして、出力対象物についているＩＣタグへそのＩＤ情報を書き込み、課金管理システム２４へアクセス記録を転送し課金される。
ステップ（Ｓ１３）でＩＤ情報があると判定された場合、ＩＤ情報を取得し、アドレス情報記憶装置１６にＩＤ情報に基づいたアドレスや識別情報や履歴情報が記憶されている場合、その情報を取得する（Ｓ１４）。
【００１９】
記憶されていない場合、上記と同様に、画像出力装置１へ複写要求し、画像出力装置１は印刷物を複写し、アクセス記録記憶装置２５に複写枚数などを記録する。
複写のさい、原稿データを原稿データ記憶装置２２へ記憶し、そのアドレスと識別情報（原稿データ記憶装置）、履歴情報（記憶した日など）にＩＤ情報を付けてアドレス情報記憶装置１６へ記憶し、画像出力装置１内にあるアクセス記録装置２５に記録する。そして、出力対象物についているＩＣタグへそのＩＤ情報を書き込み、課金管理システム２４へアクセス記録を転送し課金するように構成している。
次に、記憶場所が外部サーバかどうか判定する（Ｓ１５）。識別情報とは原稿データの記憶場所はどの記憶装置（ここでは、原稿データ記憶装置か外部サーバ）であるかの情報であり、アドレスはその原稿データ記憶装置内の記憶場所である。
また、履歴情報とは原稿を作成した日（ここでは、原稿データが外部サーバ２３に記憶されている場合）、もしくは原稿データを原稿データ記憶装置２２内へ記憶した日（ここでは、原稿データが原稿データ記憶装置２２に記憶されている場合）と、更新情報（ここでは、外部サーバ２３に更新情報があるか否かである）である。
識別情報判定が原稿データ記憶装置である場合、原稿データ記憶装置２２よりアドレスに対応した原稿データを取得し、ユーザの要求により画像出力装置１のパネル１５に表示する。そして、ユーザは画像出力装置１のパネル操作などによって、原稿データを出力する（Ｓ１６）か、印刷物を複写する（Ｓ１８）かを選択する。
【００２０】
原稿データを出力すると選択した場合、原稿データを出力するとともにアクセス記録装置２５に出力枚数など記録し、出力対象物に付いているＩＣタグへ原稿データが記憶されていたＩＤ情報と同じＩＤ情報を書き込み（Ｓ１７）、課金管理システム２４へアクセス記録を転送し課金される（Ｓ２２）。
印刷物を複写すると選択した場合、複写するとともにアクセス記録装置２５に複写枚数など記録し、上記同様にＩＤ情報を書き込み、課金管理システム２４へアクセス記録を転送し課金される。
読み込んだ原稿データを表示させることで、ユーザが取得したいデータを確実に出力することができるとともに、課金を可能とする課金システムを構築することができる。また、印刷物を複写するよりも読み込んだ情報をプリントすることで、高品位な出力物が得られる。
識別情報判定が外部サーバ２３である場合、画像出力装置１のパネル１５に更新情報を表示する。更新情報がある場合（Ｓ１９）、ユーザは画像出力装置１のパネル操作によって、更新版を取得するか否かの選択をする。
更新版を取得すると選択した場合、外部サーバ２３より更新版を取得する。取得した更新版を画像出力装置１のパネル１５に表示し、ユーザは更新版を出力する（Ｓ２１）か、印刷物を複写する（Ｓ１８）かを選択する。
更新版を出力すると選択した場合、更新版を出力するとともに、アクセス記録装置２５に出力枚数などの記録や、出力対象物についているＩＣタグへ原稿データが記憶されていたＩＤ情報と同じＩＤ情報の書き込みを行う。
そして、課金管理システム２４へアクセス記録を転送し課金される。これによって、更新版の出力を可能とし、ユーザの取得したい出力物を提供できる。また、課金を可能とする課金システムを構築することができる。
【００２１】
更新版を取得しないと選択した場合、そのまま印刷物を複写する。また、印刷物を複写すると選択した場合、複写するとともに上記同様にＩＤ情報を書き込む。更新情報がない場合、外部サーバ２３より履歴情報（作成日）に基づいて更新版があるか否かを判定する（Ｓ２０）。
更新版があると判定された場合、ユーザは画像出力装置１のパネル操作によって、更新版を取得するか否かの選択をする。更新版を取得すると選択した場合、外部サーバ２３より更新版を取得する。
取得した更新版を画像出力装置１のパネル１５に表示し、ユーザは更新版の原稿データを出力する（Ｓ２３）か、印刷物を複写するかを選択する（Ｓ１８）。更新版を出力すると選択した場合（Ｓ２１）、更新版を出力するとともに出力対象物についているＩＣタグへ原稿データが記憶されていたＩＤ情報と同じＩＤ情報を書き込み、アクセス記録装置２５に出力枚数など記録する。
アドレス情報記憶装置１６のそのＩＤ情報に対応する更新情報部分に「更新情報がある」として書き換えられる。そして、課金管理システム２４へアクセス記録を転送し課金される。これによって、更新版があるという情報を知ることができ、要求に応じて更新版の出力を行うことができる。
更新版がないと判定された場合、外部サーバ２３より元版を取得する。そして、取得した元版を画像出力装置１のパネル１５に表示し、ユーザは元版の原稿データを出力する（Ｓ１７）か、印刷物を複写するかを選択する。
元版を出力すると選択した場合、元版を出力するとともに、アクセス記録装置２５に出力枚数などの記録や、出力対象物についているＩＣタグへ原稿データが記憶されていたＩＤ情報と同じＩＤ情報の書き込みを行う。
そして、課金管理システム２４へアクセス記録を転送し課金される。これによって、印刷物を複写するよりも読み込んだ情報をプリントすることで、高品位な出力物が得られる。
【００２２】
印刷物を複写すると選択した場合、複写するとともに上記同様にＩＤ情報を書き込む。そして、課金管理システム２４へアクセス記録を転送し課金される。上記により、簡易な方法で、課金システムの構築を可能とすることができる。
上記実施の形態では、画像出力装置１のパネル１５に表示し、操作を行ったが、ＰＣ２１の画面に表示し、キーボードなどにより操作を行なってもよい。また、複写や出力する前に課金システム２４にアクセスし、課金料をパネル１５に表示するようにしてもよい。
本発明によれば、画像出力装置は、簡易な構成とすることができ、利用し易くすることができ、原稿データの記憶場所をアクセスしなくても更新版の有無等の情報を知ることを可能とし、出力するまでの時間を短縮することができ、印刷された紙の原稿データの管理を精度高く、かつ簡易にすることができる。
また、本発明によれば、画像出力装置は、ユーザの取得したいデータを簡易に出力することができる。必要に応じて原稿データの更新版の取得を可能とし、よりユーザの取得したいデータを出力することができる。
さらに、本発明によれば、画像出力装置は、原稿データの元版の取得を可能とし、よりユーザの取得したいデータを出力することができ、表示させることで、より確実に取得したいデータを出力することができ、課金管理システムの構築を可能とする。
【図面の簡単な説明】
【００２３】
【図１】本発明に使用する画像出力装置の実施の形態を示すブロック図。
【図２】図１のアドレス情報記憶装置の実施の形態を示すブロック図。
【図３】本発明による画像処理システムの第１の実施の形態の全体構成を示す概略図。
【図４】本発明による画像処理システムの第１の実施の形態の構成に基づく処理について示すフローチャート。
【図５】アドレス情報を示す概略図。
【図６】本発明による画像処理システムの第２の実施の形態の全体構成を示す概略図。
【図７】本発明による画像処理システムの第３の実施の形態の全体構成を示す概略図。
【図８】本発明による画像処理システムの第３の実施の形態の構成に基づく処理について示すフローチャート。
【符号の説明】
【００２４】
１  画像出力装置
１５  表示手段（パネル）
１６  第２の記憶装置（アドレス情報記憶装置）
１７  アンテナ
１８  リーダ／ライタ
１９  ＩＣタグ情報判定装置
２０  メモリ（記憶手段）
２１  ＰＣ（パーソナルコンピュータ）
２２  第１の記憶装置（原稿データ記憶装置）
２３  外部サーバ
２４  課金管理システム
２５  アクセス記録記憶装置
【図１】
2006108854.tif 000003
【図２】
2006108854.tif 000004
【図３】
2006108854.tif 000005
【図４】
2006108854.tif 000006
【図５】
2006108854.tif 000007
【図６】
2006108854.tif 000008
【図７】
2006108854.tif 000009
【図８】
2006108854.tif 000010